(57)【特許請求の範囲】
【請求項１】
内部に基板が格納された筐体と、
前記筐体外装に設置され、上面側および下面側を樹脂材料で被覆されて導電性のカーボンファイバを含んだ導電部材で構成され、かつ側面から前記導電部材が露出されたパネルと、
前記パネルの側面に接触して、前記導電部材と前記筐体内の前記基板とを導通させる端子と、
を備える、無線通信装置。
【請求項２】
前記筐体は、前面側の一部に前記パネルを収納する収納部を備え、
前記端子は、
前記収納部内の周囲側面部に沿って単数または複数個が設置され、前記パネルに接触させる第１の端子と、
前記基板上に実装され、前記第１の端子に接触して導通する第２の端子と、
を備える、請求項１に記載の無線通信装置。
【請求項３】
前記端子は、少なくとも前記パネルとの接触側にバネが形成され、前記筐体に設置される前記パネルを押圧する、
請求項１または請求項２に記載の無線通信装置。
【請求項４】
前記端子は、一部分が前記筐体に一体に成形された、
請求項１ないし請求項３のいずれかに記載の無線通信装置。
【請求項５】
さらに、少なくとも前記パネルと前記端子との接触部分を覆うカバー
を備える、請求項１ないし請求項４のいずれかに記載の無線通信装置。
【発明の詳細な説明】
【技術分野】
【０００１】
本発明は、導電材料を利用した外装パネルを備える無線通信装置に関する。
【背景技術】
【０００２】
通話機能やメール機能またはデータ送受信機能など、通信媒体に電波を用いる無線通信装置では、たとえば導体などが装置の周囲に設置されることで、電波の出力状態や受信感度などに影響を受ける。そのため無線通信装置の筐体に設置される外装パネルなどに導電材料を用いる場合には、たとえば内部に設置された基板などに接続してグランド（接地）することでアンテナへの影響を回避することが知られている。
【０００３】
このような接地構造に関し、複数のグランド用端子部が形成された回路基板を備え、この回路基板の端子部を貫通するねじを備える。そしてトップカバーには夫々回路基板の端子部に向かって複数の座部が突出し、ねじを挿通させると回路基板の端子部が座部間に挟み込まれて導通するものが知られている（特許文献１）。また、導電材料のパネルとしてカーボンファイバを用いたものが知られている（特許文献２）。
【先行技術文献】
【特許文献】
【０００４】
【特許文献１】特開２０００−２０７０６０号公報
【特許文献２】特開２００５−３２９５６７号公報
【発明の概要】
【発明が解決しようとする課題】
【０００５】
ところで、無線通信装置である携帯電話機などでは、外装の加飾処理の差別化を図るための手段としてたとえば、カーボンファイバを利用したパネルを備えるものがある。このカーボンファイバは、導体であり抵抗値を持つことから、たとえば携帯電話機のアンテナ回路などに導通してアンテナ特性に影響を与えるおそれがある。そこで導電材料で構成されたパネルを利用する無線通信装置では、パネルと基板とを導通させる必要がある。
【０００６】
しかしこのカーボンファイバのパネルは、表面部分にたとえば樹脂などの他の部材で被覆されている。このような被覆構造は、たとえばカーボンファイバに樹脂などを含浸させ、それを熱変形によって任意の形状に成形するために採用されている。このような被覆構造が形成されたパネルは、基板に対して最短距離で接触させるために、たとえば筐体部への取り付け時に、基板のグランド端子部に合わせてパネルの被覆部材を剥離するなどの手間がかかるという課題がある。また、接地用のグランド端子は、たとえばパネルへの接着に銅箔テープなどを利用する必要があり、組立て工数の増加やそれに伴って加工コストがかかるとういう課題がある。
【０００７】
そこで、本開示の無線通信装置では、筐体部に対するパネルの設置工程を簡易化するとともに部品点数を削減し、かつ確実に基板と導通させることを目的とする。
【課題を解決するための手段】
【０００８】
上記目的を達成するため、本開示の無線通信装置は、筐体と、この筐体に設置されるパネルと、端子とを備える。筐体は、内部に基板が格納されている。パネルは、筐体外装に設置され、上面側および下面側を樹脂材料で被覆されて導電性のカーボンファイバを含んだ導電部材で構成され、かつ側面から前記導電部材が露出される。端子は、パネルの側面に接触して、導電部材と前記筐体内の前記基板とを導通させる。
【発明の効果】
【０００９】
本開示の無線通信装置によれば、次のいずれかの効果が得られる。
【００１０】
(1)  無線通信装置の組立て処理において、パネルに被覆した樹脂材料の加工などが不要となり、組立て処理を簡易化できるとともに、加工コストの低減を図ることができる。
【００１１】
(2)  また、この無線通信装置では、筐体に設置された端子によってパネルの配置位置が    設定されることで、パネルの側面部と端子とを確実に接地でき、無線通信機能を確保することができる。
【００１２】
(3)  樹脂材料を削除せずにカーボンファイバと基板との導通が可能な構成により、接地端子の配置位置が異なる他の無線通信装置に対してパネルの再利用が可能となる。
【００１３】
そして、本発明の他の目的、特徴および利点は、添付図面および各実施の形態を参照することにより、一層明確になるであろう。
【図面の簡単な説明】
【００１４】
【図１】第１の実施の形態に係る無線通信装置の接地構造例を示す図である。
【図２】パネルを装着した無線通信装置の外観構成例を示す図である。
【図３】第１の実施の形態に係る組立て手順の一例を示すフローチャートである。
【図４】第２の実施の形態に係る無線通信装置の構成例を示す図である。
【図５】パネルを装着した状態例を示す平面図である。
【図６】無線通信装置に対するパネルの取り付け構造例を示す図である。
【図７】無線通信装置の内部の構成例を示す図である。
【図８】無線通信装置のフロントケース内部の構成例を示す図である。
【図９】基板に対する第２の端子の設置例を示す図である。
【図１０】基板上に配置されたアンテナの一例を示す図である。
【図１１】開状態の無線通信装置の構成例を示す図である。
【図１２】カーボンパネルの構成例を示す図である。
【図１３】リアケースの構成例を示す図である。
【図１４】第１の端子とパネルとの接触状態例を示す図である。
【図１５】第１の端子の外観構成例を示す図である。
【図１６】第１の端子の外観構成例を示す図である。
【図１７】リアケースに第１の端子が設置された状態例を示す図である。
【図１８】第３の実施の形態に係る無線通信装置の構成例を示す図である。
【図１９】無線通信装置におけるパネルの接地構造例を示す図である。
【図２０】無線通信装置におけるパネルの接地構造例を示す図である。
【図２１】パネルの取付け構造例を示す図である。
【図２２】パネルの構成例を示す図である。
【図２３】リアケースの構成例を示す図である。
【図２４】リアケースに第１の端子が設置された状態例を示す図である。
【図２５】リアケースに第１の端子が設置された状態例を示す図である。
【図２６】他の実施の形態に係る端子の構成例を示す図である。
【図２７】他の実施の形態に係る端子の構成例を示す図である。
【発明を実施するための形態】
【００１５】
〔第１の実施の形態〕
【００１６】
図１は、第１の実施の形態に係る無線通信装置の構成例を示している。図１に示す構成は一例であって、斯かる構成に本発明が限定されるものではない。
【００１７】
図１に示す筐体部２は、本開示の無線通信装置を構成する筐体部の一例であり、導体で構成された外装部品の接地構造例を示している。筐体部２には、たとえば内部に無線通信機能部などの機能部品が形成された基板８が格納され、単体または複数個を組み合わせて携帯電話機やＰＣ（Personal Computer）などが構成される。この筐体部２は、たとえば機能部品が固定される第１のケース部４と、無線通信装置の外装部品を構成する第２のケース部６とが接合されている。
【００１８】
第１のケース部４は、たとえば第２のケース部６との接合面側に基板８が保持されている。また、第１のケース部４の外装側には、たとえば図示しない無線通信装置の操作ボタンやＬＣＤ（Liquid Crystal Display）などが設置される。すなわちこの第１のケース部４は、たとえば表示部や操作部などのユーザインターフェースを備える無線通信装置のフロントケースの一例である。
【００１９】
第２のケース部６は、無線通信装置の外装側のリアケースの一例である。この第２のケース部６には、たとえば外装側の一部または全部分に加飾用のパネル１０が設置される。この第２のケース部６には、パネル１０および、パネル１０に導通させる端子１２の一部などを配置するための収納部１１が開口されている。
【００２０】
このパネル１０は、たとえばカーボンファイバなどの導電部材１３で構成されている。また、パネル１０には、たとえば導電部材１３の上面側および下面側に樹脂部材１５などが被覆されている。この樹脂部材１５の皮膜は、たとえばカーボンファイバが筐体部２内に配置されたアンテナなどの電子部品と干渉するのを防止するための絶縁機能やカーボンパネルの外形保護機能を有する。図１に示すパネル１０は、カーボンファイバの上面側と下面側とに樹脂部材１５が成形されて、積層状態となっている。また、パネル１０の側面端部は、たとえば内部のであるカーボンファイバが露出している。
【００２１】
筐体部２の内部には、設置されたパネル１０と基板８とを導通させる端子１２が搭載されている。この端子１２は、たとえば金属材料で形成されている。端子部１２は、パネル１０に接触した第１の端子部１４と、基板８の表面に実装され第１の端子部１４の一部に接触させた第２の端子部１６で構成されている。
【００２２】
第１の端子部１４は、たとえば第２のケース部６の収納部１１内に設置される。第１の端子部１４は、第２のケース部６に対してたとえば第２のケース部６の樹脂と一体成形してもよく、または接着材を介して固着されてもよい。また、第１の端子部１４の一部分を第２のケース部６内に貫通させて固定してもよい。また第１の端子部１４は、筐体部２の内部側に向けられたパネル１０の下面側の表面の一部または全部に接着部材２０を介して固定される。さらに、第１の端子部１４には、たとえば先端側の一部にパネル１０の側面部に接触させる接触端部１８が形成されている。この接触端部１８は、たとえば第１の端子部１４の一部を収納部１１に沿って屈曲させて形成されている。
【００２３】
第２の端子部１６は、たとえば基板８に形成されたグランドパターンなどに接続されている。この第２の端子部１６は、たとえば一部が基板８の実装面から上方に向けて屈曲され、基板８と第１の端子部１４との間でばね構造が形成されている。さらに第２の端子部１６は、第１の端子部１４との接触部分を下方に向けて屈曲されている。これにより、第２の端子部１６は、パネル１０の設置による第１の端子部１４の押圧に対して上方に向けた反力が生じ、第１の端子部１４と強力に接触する。そしてパネル１０と基板８との導通状態が強化される。
【００２４】
図２に示す筐体部２には、たとえば第２のケース部６の対向する２辺または４辺に沿って第１の端子部１４が設置される。そして収納部１１の開口端部には、接触端部１８がパネル１０の側面端部に合わせて配列される。これにより収納部１１には、接触端部１８の配列に応じてパネル１０の設置位置が決定される。
【００２５】
なお、第１の端子部１４は、たとえば収納部１１の開口部分の大きさに合わせて単一で形成されてもよい。
【００２６】
第２の端子部１６は、たとえば第１の端子部１４に対して並列に配置される。この第２の端子部１６は、たとえば接触端部１８の数や、基板８やパネル１０の大きさに応じて設置する数が決定されればよい。
【００２７】
図３は、筐体部の組立て処理例を示している。図３に示す処理内容、処理手順は一例であり、本発明が斯かる構成に限定されるものではない。
【００２８】
この組立て処理は、本開示の無線通信装置の組立て方法または製造方法の一例を示している。この組立て手順では、たとえば基板８に対して第２の端子部１６を設置する（Ｓ１）。第２の端子部１６の設置位置は、たとえば第１の端子部１４の配置位置や収納部１１の大きさ、または基板８に実装された他の構成部品に対する干渉回避などを考慮して決定される。
【００２９】
第２の端子部１６を備えた基板８は、第１のケース部４内において設定された位置に配置される（Ｓ２）。基板８は、たとえば第１のケース部４に対してねじなどの締結部品で固定される。
【００３０】
基板８が設置されると、第１のケース部４に対向させて第２のケース部６が設置される（Ｓ３）。第１のケース部４と第２のケース部６とは、たとえば締結部品を利用して固定される。
【００３１】
第２のケース部６に開口された収納部１１に対して第１の端子部１４が設置される（Ｓ４）。このとき第１の端子部１４は、たとえば基板８に実装され、収納部１１側に向けて配置された第２の端子部１６の位置に応じて設置される。
【００３２】
そして第１の端子部１４に対して接着部材２０を介してパネル１０が設置される（Ｓ５）。パネル１０は、たとえば収納部１１に配置された第１の端子部１４の接触端部１８に対して側面端部が接触する位置に配置される。
【００３３】
斯かる構成によれば、無線通信装置の組立て処理において、パネルに被覆した樹脂部材を削除する加工などが不要となり、組立て処理の簡易化を図ることができる。また、筐体に設置された端子部によってパネルの配置位置が決定されることで、パネルの側面部と端子とを確実に接触させることができる。端子部のいずれか一方をバネ状に形成することで、端子同士の接触状態をより強固にすることができる。また、カーボンファイバの露出部分に合わせて端子部を配置させることで、樹脂材料の削除が不要である。これにより、このパネルは、接地端子の配置位置が異なる他の無線通信装置に対して再利用が可能となる。
【００３４】
〔第２の実施の形態〕
【００３５】
図４および図５は、第２の実施の形態に係る無線通信装置の接地構造例を示している。図４および図５に示す構成は一例であって、本発明が斯かる構成に限定されるものではない。図４および図５において図１、図２と同一構成には同一符号を付し、その説明を省略する。
【００３６】
図４に示す無線通信装置３０は、本開示の無線通信装置の一例を示している。この無線通信装置３０は、装置の一部または全部に外装部品としてカーボンファイバなどの導電材料を含むパネル１０を備えた筐体部３２で構成されている。この筐体部３２は、たとえばフロントケース３４とリアケース３６とがそれぞれの背面部分を接合させている。また筐体部３２には、パネル１０と基板８とを導通させる端子４０が設置されている。この端子４０は、パネル１０に接触する第１の端子４２と、基板８に実装されて第１の端子４２に接触する第２の端子４４で構成される。
【００３７】
フロントケース３４は、第１のケース部４の一例であり、たとえばリアケース３６と接合した背面側に基板８やその他の実装部品が収納されている。また、フロントケース３４の前面側には、たとえば表示パネル４８などが設置されている。この表示パネル４８は、たとえば無線通信装置３０の利用者に対して文字や画像などの視覚情報を表示する表示手段である。その他、フロントケース３４には、たとえばタッチパネルなどの入力装置や、音声通話を行うためのマイクロフォンやスピーカなどの機能部品が実装されてもよい。
【００３８】
リアケース３６は、第２の筐体部６の一例であり、前面側にパネル１０を配置させる収納部３７が形成されている。この収納部３７は、図５に示すようにたとえばリアケース３６の周囲に沿って形成されている。リアケース３６には、収納部３７の周壁に沿って第１の端子４２の一部が配置されている。
【００３９】
収納部３７は、たとえば設置されるパネル１０の形状に基づいて形成されてもよい。
【００４０】
第１の端子４２は、リアケース３６内を貫通して設置されており、たとえばパネル１０に接触させる先端部分を収納部３７内に配置される。また、第１の端子４２の他端側は、リアケース３６の背面側に沿って配置され、端子４２の一部がたとえばフロントケース３４の背面側に設置された基板８に対向して配置される。そして第１の端子４２の先端部は、第２の端子４４に接触する。
【００４１】
フロントケース３４およびリアケース３６は、たとえばプラスチックなどの樹脂材料で構成されている。そして第１の端子４２は、たとえば所謂ハイブリッド成型により、リアケース３６と一体構造で構成されている。
【００４２】
基板８に実装された第２の端子４４は、グランド端子などに接続され、既述のように、たとえばリアケース３６側に向けて突出させ、バネ機能を有するように屈曲部が形成されている。
【００４３】
図５に示す第１の端子４２は、たとえば収納部３７に配置されるパネル１０に向けて先端部分を屈曲させている。この屈曲により端子４２は、収納部３７に配置されるパネル１０の側面部分を押圧する。第１の端子４２は、たとえば収納部３７内に配置されたパネル１０の全周に亘り、左右または前後方向にそれぞれ対向して配置されている。パネル１０は、たとえば第１の端子４２によって対向方向から押圧されるので、第１の端子４２に対して強固に接触でき、収納部３７内で保持される。
【００４４】
図６、図７、図８は、無線通信装置の構成例を示している。
【００４５】
図６に示す無線通信装置３０は、たとえば筐体部３２と筐体部５０とがヒンジ部５２によって開閉可能に接続されている。閉状態の無線通信装置３０は、たとえば表示パネル４８などが設置された筐体部３２の前面側と、筐体部５０の前面側とが対向して積層状態となる。
【００４６】
筐体部３２の背面側には、無線通信装置３０の外装部材としてパネル１０が設置される。このパネル１０は、接着部材２０を介して収納部３７内に配置される。接着部材２０は、リアケース３６とパネル１０とを固着させる手段であり、たとえば両面テープなどで構成される。また接着部材２０は、所定の厚さを持たせたテープやパテなどを利用してもよい。パネル１０は、たとえば所定の厚さを備えたパッキンなどを介して収納部３７と接合してもよい。これにより、パネル１０と収納部３７との接合部分から無線通信装置３０の内部に水分や異物が混入するのを防止できる。
【００４７】
図７に示すリアケース３６は、第１の端子４２が設置され、フロントケース３４の背面側に積層される。この第１の端子４２と基板８に実装された第２の端子４４とは、接触可能な位置に配置されている。フロントケース３４とリアケース３６とは、たとえばフロントケース３４を貫通した固定ねじ５３によって固定される。
【００４８】
図８に示すフロントケース３４は、たとえば背面側に基板８が設置され、前面側に表示パネル４８を構成するＬＣＤ（Liquid Crystal Display）モジュール５６やＬＣＤパネル５８が積層される。基板８には、たとえば前面側または背面側に第２の端子４４が表面実装される。また基板８には、たとえばＬＣＤモジュール５６が図示しないフレキシブルケーブルなどによって、フロントケース３４を貫通して接続される。
【００４９】
図９に示す基板８には、たとえば周縁に沿って第２の端子４４が実装される。この第２の端子４４の実装位置は、既述のように第１の端子４２の配置位置に応じて設定すればよい。第１の端子４２が配置される収納部３７（図７）の大きさは、設置されるパネル１０によって設定される。したがって、基板８に実装される第２の端子４４は、たとえばパネル１０の大きさに応じて、その実装位置（第２の端子４４ａ）を任意に設定可能にしてもよい。
【００５０】
また第２の端子４４は、たとえば基板８の辺ごとに実装向きが設定される。図９に示す基板８の短辺には、端子４４の先端部を基板８の中心方向に屈曲させて配置している。また、基板８の長辺側には、たとえば端子４４の先端部を基板８のいずれかの短辺方向に屈曲させて配置している。この実装向きは、たとえば基板８の辺の長さや１辺に実装される第２の端子４４の個数などによって決定してもよい。
【００５１】
図１０は、基板に実装されたアンテナの配置例を示している。
【００５２】
この無線通信装置３０には、通話機能やデータ通信機能などを行う１または複数のアンテナが設置されている。図１０に示す基板８には、たとえば両短辺の周縁部分に通話アンテナ６０、ＦＭ電波送受信用アンテナ６２、ＴＶ用アンテナ６４、データ通信用アンテナ６６、近距離データ通信用アンテナ６８などが実装されている。
【００５３】
通話アンテナ６０は、たとえば無線通信装置３０を携帯電話機として利用する場合の通話音声信号の送受信を行うアンテナである。ＦＭ電波送受信用アンテナ６２は、たとえばＦＭ信号の送受信を行うＦＭトランスミッタ−で構成されている。このＦＭ電波送受信用アンテナ６２は、たとえばＦＭ信号を利用して近距離のＦＭ受信機器との間で音楽データなどの出力に利用するほか、ラジオ放送の受信に利用される。ＴＶ用アンテナ６４は、たとえばデジタルテレビ放送用の画像データを送受信するアンテナである。
【００５４】
データ通信用アンテナ６６は、たとえば無線通信ＬＡＮ（Local Area Network）を利用してデータの送受信を行う手段である。このデータ通信には、たとえばＷｉ−Ｆｉ（Wireless−Fidelity）（登録商標）規格の通信機能を利用している。近距離データ通信用アンテナ６８は、デジタル機器用の近距離無線通信用のアンテナであり、たとえばBluetooth（登録商標）規格などを利用する。
【００５５】
図１０に示す筐体部３２では、このような複数のアンテナが形成された基板８に近接して、カーボンファイバを含むパネル１０が設置される。そこでこのパネル１０は、たとえば基板８に形成されたアンテナ６０、６２、６４、６６、６８に対して一定の距離Ｌ１を確保する大きさに設定されている。
【００５６】
図１１は、開状態の無線通信装置の構成例を示している。
【００５７】
図１１Ａに示す無線通信装置３０は、筐体部５０に前面側を対向させていた筐体部３２がヒンジ部５２を回転軸として開状態となっている。この筐体部３２は、表示パネル４８を備えた可動側筐体部である。また筐体部５０は、たとえば無線通信装置３０への入力操作手段である操作部７０などが備えられた固定側筐体部を構成する。図１１Ｂに示す操作部７０は、たとえば表示パネル４８に表示されたカーソル表示などを選択するカーソルボタン７２を備える。また、筐体部５０には、無線通信装置３０に搭載されたアプリケーションなどの実行に割り当てられた実行ボタン７４、文字や数字の入力に利用するキーボード７６などを備えている。
【００５８】
なお、筐体部３２の表示パネル４８は、たとえば表示機能と操作機能とを一体にしたタッチパネルにより構成されてもよい。
【００５９】
次に、無線通信装置３０に設置される部品の構成例を示す。図１２は、カーボンパネルの構成例を示している。
【００６０】
図１２Ａに示すパネル１０は平板状に形成されており、表面には、たとえばカーボンファイバによって形成される模様や特定の色彩などが施されている。このパネル１０は、図１２Ｂに示すように、たとえば複数のカーボンファイバ部材８０、８２が積層されており、その上面側と下面側に樹脂部材８４が積層されている。即ち、このカーボンファイバ部材８０、８２は、上下平面を樹脂部材８４によって被覆されている。また、カーボンファイバ部材８０、８２の側面端部には、樹脂部材８４が被覆されていない。
【００６１】
このカーボンファイバ部材８０、８２は、たとえば上面側と下面側とで模様が異なっている。無線通信装置３０では、たとえば模様の異なるカーボンファイバ部材８０、８２を組み合わせてもよい。また、このカーボンファイバ部材８０、８２は、たとえば厚さを異ならせることで外光の透過率や反射率などを変更させて模様を形成させてもよい。
【００６２】
そのほか無線通信装置３０では、たとえば上層側に配置されるカーボンファイバ部材８０を加飾用に利用し、下層側に配置されるカーボンファイバ部材８２を内部に実装される電子部品に対するシールド部材として利用してもよい。
【００６３】
なお、このパネル１０は、たとえばカーボンファイバ部材８０、８２の少なくともリアケース３６に対して接触する下面側を樹脂部材８４で被覆している。
【００６４】
図１３ないし図１６は、リアケースと端子の構成例を示している。
【００６５】
図１３に示すリアケース３６の前面側に形成された収納部３７には、底面側にパネル１０を載置する載置面９０が形成されている。パネル１０は、この載置面９０上に接着部材２０を介して設置される。この載置面９０には、たとえば背面側に設置された基板８を露出させる窓部９２が形成されている。この窓部９２は、基板８に実装された機能部品の一部を無線通信装置３０の外装側に向けて露出させている。窓部９２は、たとえば基板８の実装部品の放熱、無線通信装置３０の軽量化、または基板８に対するメンテナンスなどに利用される。
【００６６】
また、収納部３７の側面周縁には、第１の端子４２の先端部分が複数露出している。この第１の端子４２は、図１４に示すように載置面９０に載置されたパネル１０に対し、接触端部１００がカーボンファイバ部材８０、８２に接触する高さに設置されている。
【００６７】
図１５Ａに示す第１の端子４２は、パネル１０に接触させる接触端部１００、胴体部１０２、第２の端子４４に導通する接続部１０４で構成されている。この接触端部１００は、既述の接触端部１８を構成しており、パネル１０の側面端部に接触してカーボンパネル部材８０、８２と導通させる。
【００６８】
接触端部１００は、たとえばリアケース３６の収納部３７から露出させる（図１４）。図１６Ａに示すように接触端部１００は、たとえば略三角形状に形成されており、設置されたパネル１０に対して１の屈曲部の頂点を接触させるように形成されている。また、この接触端部１００は、収納部３７側への突出形状により、接触したパネル１０に対して押圧するバネ機能を備える。接触端部１００の突出量Ｌ２は、たとえば収納部３７に対するパネル１０の大きさや載置面９０の幅などによって設定すればよい。
【００６９】
胴体部１０２は、リアケース部３６内に収納されて所定の配置位置に保持されている。これにより第１の端子４２は、接触端部１００および接続部１０４の配置位置が固定され、パネル１０や第２の端子４４との接触位置がずれるのを防止できる。接触端部１００と導体部１０２とは、たとえば一連の部材で形成されており、図１６Ｂに示すように、接触端部１００の幅Ｗ１と導体部１０２の幅Ｗ２とが同等に形成されている。
【００７０】
なお、接触端部１００の幅Ｗ１は、たとえばパネル１０との接触強度を持たせるために導体部１０２の幅Ｗ２よりも大きく設定してもよい。
【００７１】
図１５Ｂに示す接続部１０４は、たとえば胴体部１０２から高さｈ１下方に形成されている。この接続部１０４は、端子４２の一端の一例であり、たとえば接触端部１００の突出方向と同方向に、水平になるように屈曲されている。この高さｈ１は、接続部１０４がリアケース３６の背面側に突出する距離と同等に設定される。図１６Ａ、１６Ｂに示す接続部１０４の突出長さＬ３は、たとえばリアケース３６の内部の形状や基板８に実装された第２の端子４４の配置位置に基づいて決定されればよい。
【００７２】
図１７に示すリアケース３６の背面側には、周縁部分に空間部１１０が形成されている。そしてこの空間部１１０の内部には、たとえばリアケース３６と一体に成形された第１の端子４２の胴体部１０２や接続部１０４などが配置される。収納部３７の側面には、第１の端子４２を露出させる貫通孔が形成されている。そしてこの貫通孔を通じて胴体部１０２がリアケース３６内に配置される。
【００７３】
接続部１０４は、たとえば収納部３７の背面側に接触して配置される。この接続部１０４は、図１７Ｂに示すように、たとえば接続部１０４の先端の一部のみが載置面９０の背面側に配置される長さに設定されている。この筐体３２では、第１の端子４２と第２の端子４４とがリアケース３６の空間部１１０内において接触して導通する。これによりパネル１０を外した状態において、このリアケース３６では、窓部９２から端子４２、４４を露出させない構成となっている。
【００７４】
斯かる構成によれば、次のいずれかの効果が得られる。
【００７５】
(1)カーボンファイバ部材の上面と下面とに樹脂部材が積層されたパネルに対し、その側面側に端子を接触させて導通させることで、パネルの樹脂部材を削除するなどの加工処理を行わずに接地させることができる。
【００７６】
(2)リアケースと端子とを一体に構成し、パネルの配置位置に対する周辺側に端子を配置させることで、リアケースとパネルとをたとえば同等の高さに配置でき、無線通信装置の薄型化を図ることができる。
【００７７】
(3)筐体部に設置された端子によってパネルの配置位置が決定されるので、パネルの側面部と端子とを確実に接触させることができる。
【００７８】
(4)端子のいずれか一方をバネ状に形成することで、端子同士の接触状態をより強固にすることができる。
【００７９】
(5)端子は、リアケース内部に形成された空間部内に設置させることで、無線通信装置内部のスペースの有効活用ができる。
【００８０】
(6)第１の端子４２は、第２の端子４４に対して筐体内部で接触することで、たとえばパネル１０を外した状態でも、リアケース３６の窓部９２から端子４２、４４を露出させないので、美観を損なわない。
【００８１】
(7)この無線通信装置３０では、パネル１０が基板８に接地されるとともに、アンテナ６０〜６８に対して一定の距離Ｌ１が確保されるので、アンテナ６０〜６８の送受信出力の低下を防止できる。
【００８２】
〔第３の実施の形態〕
【００８３】
図１８、図１９、図２０は、第３の実施の形態に係る無線通信装置の構成例を示している。図１８ないし図２０は一例であり、本発明が斯かる構成に限定されるものではない。また、図１８ないし図２０において、図１、図５、図６と同一構成には同一符号を付し、その説明を省略する。
【００８４】
図１８に示す無線通信装置１２０は、本開示の無線通信装置の一例であり、リアケース３６の外装側にカーボンファイバで構成されたパネル１２２とカバー１２４が積層されている。また、このリアケース３６には、たとえばパネル１２２の側面端部に接触して導通する第１の端子４２が設置されている。この第１の端子４２は、図１９に示すように、無線通信装置１２０の内部において、基板８に表面実装された第２の端子４４に導通している。これにより無線通信装置１２０では、パネル１２２が端子４２、４４を介して基板８に導通されることで、基板８に対する接地構造が形成されている。
【００８５】
パネル１２２は、たとえばリアケース３６の前面側に設置された端子４２に対してその短辺側面を接触させて配置する。そしてパネル１２２の上部側には、パネル１２２よりも広大に形成され、たとえば中央部分を開口させたカバー１２４が設置されている。これによりパネル１２２は、カバー１２４の開口部分から露出されている。
【００８６】
図１９および図２０に示すカバー１２４は、たとえばリアケース３６およびパネル１２２の一部に対して接着部材１２６を介して設置されている。この接着部材１２６は、たとえばカバー１２４を接着するとともに、カバー１２４とリアケース３６およびパネル１２２との間に異物が混入するのを防止する。この接着部材１２６は、たとえば両面テープなどを利用してもよい。
【００８７】
このカバー１２４は、第１の端子４２とパネル１２２との接触部分を覆っており、無線通信装置１２０の外部から端子４２が露出するのを防止している。カバー１２４は、たとえば、導通しない樹脂部材などの絶縁材料で構成されている。また、パネル１２２は、リアケース３６に対して接着部材２０を介して設置されている。
【００８８】
図２１ないし図２５は、無線通信装置の各部品の構成例を示している。
【００８９】
図２１に示す無線通信装置１２０は、リアケース３６の収納部３７に対してパネル１２２が設置される。パネル１２２は、収納部３７内の載置面９０に載置されて側面端部において端子４２に接触する。
【００９０】
このパネル１２２は、たとえば図２２に示すように両短辺側に段差が形成され、中央部分を上方に突出させている。このパネル１２２の中央部分は、たとえばカバー１２４から露出させて外装部品として機能する外装部１３０を構成する。またパネル１２２の両端の段差部１３２は、既述のように側面端部を端子４２に接触させて導通させるとともに、平面上にカバー１２４が載置される。パネル１２２は、カバー１２４の開口部分に対して外装部１３０を嵌合させ、段差部１３２をカバー１２４の背面側に固着させる。この段差部１３２は、たとえばパネル１２２とカバー１２４との接触位置を固定するフランジとして機能する。パネル１２４の段差部１３２の高さは、たとえば設置されるカバー１２４や接着部材１２６などの厚さに応じて設定すればよい。
【００９１】
パネル１２２とカバー１２４とを固着させる接着部材１２６は、たとえばカバー１２４と同一形状で同一の大きさに形成されている。
【００９２】
リアケース３６は、たとえば図２３に示すように、中央部分にパネル１２２を設置させる収納部３７が形成されている。この収納部３７には、側面端部側に端子４２が設置されるとともにパネル１２２の段差部１３２を載置させる載置部９０が形成される。また、リアケース３６には、収納部３７の開口部の周縁に沿ってカバー１２４が配置されるカバー収納部１４０が形成されている。このカバー収納部１４０には、接着部材１２６を介してカバー１２４を載置させる載置面１４２が形成されている。この載置面１４２は、収納部３７の載置部９０よりも浅く形成されている。すなわち図２４に示すリアケース３６に形成されたカバー収納部１４０の載置面１４２、収納部３７の載置面９０は、リアケース３６の外装表面から中心部分に向けて段階的に深く形成されている。
【００９３】
カバー収納部１４０の深さは、カバー１２４および接着部材１２６の厚さに応じて設定される。
【００９４】
第１の端子４２は、リアケース３６の背面側に形成された空間部１１０において収納部３７の周壁側に配置される。図２５に示す第１の端子４２は、接触端部１００が収納部３７内に向けて突出されている。また、空間部１１０内には、たとえば胴体部１０２がカバー収納部１４０の載置面１４２の背面側に配置され、接続部１０４が収納部３７およびカバー収納部１４０の背面側に配置される。
【００９５】
斯かる構成によれば、上記実施の形態において記載した各効果に加え、さらにパネルの表面側にカバーを載置させることによりパネルと端子との接触部分を外部に露出させることがなく、無線通信装置のデザイン性を向上させることができる。また、パネルとリアカバーとの間に生じる隙間をカバーによって覆うことで、端子と利用者の指などとの接触による端子の損傷や、隙間への異物の混入を防止して、パネルの接地機能を防護することができる。
【００９６】
〔他の実施の形態〕
【００９７】
(1)上記実施の形態では、無線通信装置の一例として携帯電話機の構成を示したがこれに限られない。たとえば、たとえばノート型のＰＣや情報通信端末（ＰＤＡ：Personal Digital Assistant）、ゲーム機やトランシーバなどで無線によるデータ通信機能や通話機能を備えた機器であってもよい。このような無線通信装置において、たとえばカーボンなどの導電材料で形成されたパネルによる外装部材に対して本開示の接地構造を備えることにより、無線通信機能の維持を図ることができる。
【００９８】
(2)上記実施の形態では、第１の端子４２に接触して基板と導通させる第２の端子４４の配置位置を第１の端子４２の位置に応じて設定した場合を示したが、これに限られない。図２６Ａに示す第１の端子４２は、たとえば基板８上の第２の端子４４の実装位置に基づいて、接触部１０４を長く形成してもよい。また、図２６Ｂに示す接触部１０４は、第２の端子４４に向けて一部に屈曲部を設けて方向転換させている。
【００９９】
このような構成によればパネル１０の大きさおよび収納部３７の位置によって決定される第１の端子４２の配置位置に対し、第２の端子４４の配置位置を任意に設定することができる。たとえば基板８上の実装される電子部品の大きさや数、または無線通信装置３０内に配置される他の部品との干渉などにより、第２の端子４４の実装位置が制限された場合であっても、パネル１０と基板８とを確実に導通させて接地させることができる。
【０１００】
(3)上記実施の形態では、パネルを収納する収納部は、リアケースの中央部分に形成される場合を示したがこれに限られない。パネルが無線通信装置の外装部分の端部側まで配置されるように構成してもよい。図２７に示す無線通信装置２００では、リアケース２０２の長辺の端部側まで収納部２０４を形成している。そして、パネル２０６は、リアケース２０２の外装側を覆う大きさに形成されている。すなわちこのパネル２０６の短辺側の長さは、たとえばリアケース２０２の短辺側の長さと同等に形成している。
【０１０１】
そして、第１の端子４２は、たとえばリアケース２０２の両短辺側に配置され、パネル２０６の側面部分に接触している。
【０１０２】
斯かる構成によれば、無線通信装置２００の外装表面においてリアケース２０２とパネル２０６との隙間が最小限に抑えられるので、美観を維持させることができる。
【０１０３】
以上説明したように、無線通信装置の最も好ましい実施形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【符号の説明】
【０１０４】
２、３２、５０  筐体部
４  第１のケース部
６  第２のケース部
８  基板
１０、１２２、２０６  パネル
１１、３７、２０４  収納部
１２、４０  端子
１３  導電部材
１４、４２  第１の端子（部）
１５、８４  樹脂部材
１６、４４  第２の端子（部）
１８  接触端部
２０、１２６  接着部材
３０、１２０、２００  無線通信装置
３４  フロントケース
３６、２０２  リアケース
４８  表示パネル
５２  ヒンジ部
６０  通話アンテナ
６２  ＦＭ電波送受信用アンテナ
６４  ＴＶ用アンテナ
６６  データ通信用アンテナ
６８  近距離データ通信用アンテナ
７０  操作部
８０、８２  カーボンファイバ部材
９０、１４２  載置面
１００  接触端部
１０２  胴体部
１０４  接続部
１１０  空間部
１２４  カバー
１３０  外装部
１３２  段差部
１４０  カバー収納部
【図１】
0005903960.tif 000002
【図２】
0005903960.tif 000003
【図３】
0005903960.tif 000004
【図４】
0005903960.tif 000005
【図５】
0005903960.tif 000006
【図６】
0005903960.tif 000007
【図７】
0005903960.tif 000008
【図８】
0005903960.tif 000009
【図９】
0005903960.tif 000010
【図１０】
0005903960.tif 000011
【図１１】
0005903960.tif 000012
【図１２】
0005903960.tif 000013
【図１３】
0005903960.tif 000014
【図１４】
0005903960.tif 000015
【図１５】
0005903960.tif 000016
【図１６】
0005903960.tif 000017
【図１７】
0005903960.tif 000018
【図１８】
0005903960.tif 000019
【図１９】
0005903960.tif 000020
【図２０】
0005903960.tif 000021
【図２１】
0005903960.tif 000022
【図２２】
0005903960.tif 000023
【図２３】
0005903960.tif 000024
【図２４】
0005903960.tif 000025
【図２５】
0005903960.tif 000026
【図２６】
0005903960.tif 000027
【図２７】
0005903960.tif 000028